(57)【特許請求の範囲】
【請求項１】
投入された貨幣を収納する収納手段と、該収納手段に収納された貨幣を払い出す払出手段とを具備する貨幣処理装置の貨幣処理方法において、
計数手段が、前記収納手段に収納した貨幣の数と該収納手段から前記払出手段により払い出された貨幣の数とに基づいて前記収納手段に収納されている貨幣の数を計数し、
状態検出手段が、前記収納手段による貨幣の収納状態を検出し、
記憶保持手段が、前記計数手段が計数した貨幣の数と前記状態検出手段が検出した収納状態とを電源の入切に係わらず記憶保持し、
電源投入時に、初期化手段が、前記状態検出手段が検出した収納状態が前記記憶保持手段に記憶保持されている収納状態と異なる場合に前記記憶保持手段に記憶されている貨幣の数を初期化する
ことを特徴とする貨幣処理方法。
【請求項２】
前記収納手段に収納される貨幣は硬貨であり、
前記記憶保持手段は、前記状態検出手段が検出した収納状態が変化するごとに、該収納状態を更新して記憶保持する
ことを特徴とする請求項１記載の貨幣処理方法。
【請求項３】
前記状態検出手段は、前記収納手段に収納している硬貨の数が所定の数以下となったことを検出するエンプティスイッチであり、
前記初期化手段は、前記記憶保持手段に記憶された電源切断前の前記エンプティスイッチの状態と電源投入時の前記エンプティスイッチの状態とが異なっていた場合に前記記憶保持手段に記憶保持している硬貨の数を初期化する
ことを特徴とする請求項２記載の貨幣処理方法。
【請求項４】
前記状態検出手段は、前記収納手段に収納している硬貨が満杯となったことを検出する満杯スイッチであり、
前記初期化手段は、前記記憶保持手段に記憶された電源切断前の前記満杯スイッチの状態と電源投入時の前記満杯スイッチの状態とが異なっていた場合に前記記憶保持手段に記憶保持している硬貨の数を初期化する
ことを特徴とする請求項２または３記載の貨幣処理方法。
【請求項５】
前記収納手段は貨幣処理装置に脱着可能であるとともに複数種類存在し、
前記記憶保持手段は、前記収納手段の種類を記憶保持し、
前記初期化手段は、前記記憶保持手段に記憶された電源切断前の前記収納手段の種類と電源投入時の前記収納手段の種類とが異なっていた場合に前記記憶保持手段に記憶保持している硬貨の数を初期化する
ことを特徴とする請求項２乃至４のいずれかに記載の貨幣処理方法。
【請求項６】
データ格納手段に所定のデータを格納し、
前記記憶保持手段は、初期化された際に前記データ格納手段に格納されている所定のデータを記憶保持し、
前記初期化手段は、電源投入時に、前記記憶保持手段に記憶された所定のデータと前記データ格納手段に格納されているデータとが異なっていた場合に前記記憶保持手段に記憶保持している硬貨の数を初期化する
ことを特徴とする請求項２乃至５のいずれかに記載の貨幣処理方法。
【請求項７】
投入された貨幣を収納する収納手段と、該収納手段に収納された貨幣を払い出す払出手段とを具備する貨幣処理装置において、
前記収納手段に収納した貨幣の数と該収納手段から前記払出手段により払い出された貨幣の数とに基づいて前記収納手段に収納されている貨幣の数を計数する計数手段と、
前記収納手段による貨幣の収納状態を検出する状態検出手段と、
前記計数手段が計数した貨幣の数と前記状態検出手段が検出した収納状態とを電源の入切に係わらず記憶保持する記憶保持手段と、
電源投入時に、前記状態検出手段が検出した収納状態が前記記憶保持手段に記憶保持されている収納状態と異なる場合に前記記憶保持手段に記憶されている貨幣の数を初期化する初期化手段と
を具備することを特徴とする貨幣処理装置。
【請求項８】
前記収納手段に収納される貨幣は硬貨であり、
前記記憶保持手段は、前記状態検出手段が検出した収納状態が変化するごとに、該収納状態を更新して記憶保持する
ことを特徴とする請求項７記載の貨幣処理装置。
【請求項９】
前記状態検出手段は、前記収納手段に収納している硬貨の数が所定の数以下となったことを検出するエンプティスイッチであり、
前記初期化手段は、前記記憶保持手段に記憶された電源切断前の前記エンプティスイッチの状態と電源投入時の前記エンプティスイッチの状態とが異なっていた場合に前記記憶保持手段に記憶保持している硬貨の数を初期化する
ことを特徴とする請求項８記載の貨幣処理装置。
【請求項１０】
前記状態検出手段は、前記収納手段に収納している硬貨が満杯となったことを検出する満杯スイッチであり、
前記初期化手段は、前記記憶保持手段に記憶された電源切断前の前記満杯スイッチの状態と電源投入時の前記満杯スイッチの状態とが異なっていた場合に前記記憶保持手段に記憶保持している硬貨の数を初期化する
ことを特徴とする請求項８または９記載の貨幣処理装置。
【請求項１１】
前記収納手段は貨幣処理装置に脱着可能であるとともに複数種類存在し、
前記記憶保持手段は、前記収納手段の種類を記憶保持し、
前記初期化手段は、前記記憶保持手段に記憶された電源切断前の前記収納手段の種類と電源投入時の前記収納手段の種類とが異なっていた場合に前記記憶保持手段に記憶保持している硬貨の数を初期化する
ことを特徴とする請求項８乃至１０のいずれかに記載の貨幣処理装置。
【請求項１２】
所定のデータを格納するデータ格納手段をさらに具備し、
前記記憶保持手段は、初期化された際に前記データ格納手段に格納されている所定のデータを記憶保持し、
前記初期化手段は、電源投入時に、前記記憶保持手段に記憶された所定のデータと前記データ格納手段に格納されているデータとが異なっていた場合に前記記憶保持手段に記憶保持している硬貨の数を初期化する
ことを特徴とする請求項８乃至１１のいずれかに記載の貨幣処理装置。
【発明の詳細な説明】
【０００１】
【発明の属する技術分野】
この発明は、貨幣処理方法および装置に関し、特に、釣銭払出用貨幣の保有枚数をバッテリーバックアップされたメモリに記憶保持するとともに、該記憶保持した保有枚数を適切なタイミングで初期化することのできる貨幣処理方法および装置に関する。
【０００２】
【従来技術】
自動販売機や両替機等で使用される貨幣処理装置は、投入された貨幣を受け入れるとともに、必要に応じて釣銭等の払い出しを行う。釣銭として払い出される貨幣は主として硬貨であり、払出用の硬貨は金種毎の硬貨チューブに収納されている。この硬貨チューブには、貨幣処理装置への着脱が可能で、硬貨の補給や金種毎の収容容量の変更を容易に行うことのできるカセットタイプのものもある（特開昭６０−５５４８６号公報参照）。
【０００３】
ところで、硬貨チューブには底部から所定の高さの位置に硬貨の有無を検出するセンサ（以下、エンプティスイッチと称する）が配設され、このエンプティスイッチの検出結果に基づき釣銭払い出しの可否を判断している。例えば、硬貨チューブに１３枚以上の硬貨が収納された場合に、これを検出できる位置にエンプティスイッチを配設し、エンプティスイッチの検出誤差が３枚以内であれば、エンプティスイッチは１３±３枚以上の硬貨が収納されたことを検出するので、エンプティスイッチが硬貨が収納されていることを検出した場合には、少なくとも１０枚の硬貨が硬貨チューブに収納されていることになる。
【０００４】
ところが、エンプティスイッチの検出結果のみで釣銭払い出しの可否を判断した場合、硬貨チューブに収納されている硬貨が９枚以下になると当該金種は払い出し不可能であると判断され、実際には釣銭の払い出しが可能であるにもかかわらず釣銭の必要な商品の販売が停止され、結果として販売機会を逸脱することになる。このため、エンプティスイッチの他にカウンタを設け、このカウンタで硬貨の受け入れ枚数や払い出し枚数を計数して、該計数結果に基づいて釣銭の払い出しの可否の判断を行っている。
【０００５】
図５は、カウンタによる硬貨の収納枚数の計数の流れを示すフローチャートである。
カウンタは、貨幣処理装置の電源投入により動作を開始する（ステップ６０１）。このとき、硬貨チューブに収納されている硬貨が９枚以下、つまり、エンプティスイッチが硬貨無しの状態を検出していれば（ステップ６０２でＮＯ）、硬貨チューブ内に何枚の硬貨が収納されているかわからないため、カウンタはその値を０のままとしておく。エンプティスイッチが硬貨有りの状態を示しているか硬貨の受け入れによってエンプティスイッチが硬貨無しから硬貨有りの状態に変化した場合は（ステップ６０２でＹＥＳ）、硬貨チューブ内には少なくとも１０枚の硬貨が収納されているために、カウンタの値を１０にプリセットする（ステップ６０３）。
【０００６】
ここで、硬貨チューブの上部の所定の位置に設けられた硬貨チューブが満杯であるか否かを検出するセンサ（以下、硬貨満杯スイッチと称する）が、硬貨チューブが満杯であることを検出していた場合には（ステップ６０４でＹＥＳ）、カウンタ値を１００（硬貨満杯スイッチが満杯を検出している場合には、硬貨チューブには少なくとも１００枚の硬貨が収納されているものとする）にプリセットする（ステップ６０５）。
【０００７】
次に、当該金種の硬貨が投入され、その硬貨が硬貨チューブに収納されると（ステップ６０６でＹＥＳ）、カウンタの値に１を加算し（ステップ６０７）、硬貨チューブから硬貨の払い出しが行われると（ステップ６０８でＹＥＳ）、カウンタの値から１減算する（ステップ６０９）。
【０００８】
硬貨チューブ内の硬貨の増減により、カウンタの値が１０から９に変化し（ステップ６１０でＹＥＳ）、このときエンプティスイッチが硬貨有りの状態を示していた場合には（ステップ６１１でＹＥＳ）、カウンタの値は硬貨チューブ内の硬貨が９枚であることを示しているがエンプティスイッチは硬貨チューブ内に少なくとも１０枚の硬貨が収納されていることを示しているため、カウンタの値を１０枚にプリセットする（ステップ６０３）。
【０００９】
また、硬貨チューブ内の硬貨の増減により、エンプティスイッチが硬貨有りを示す状態から硬貨無しを示す状態に変化した場合には（ステップ６１２でＹＥＳ）、硬貨チューブ内に収納されている硬貨が１２±３枚となったことを示しているため、カウンタの値を９枚にプリセットし（ステップ６１３）、エンプティスイッチが硬貨無しを示す状態から硬貨有りを示す状態に変化した場合には（ステップ６１４でＹＥＳ）、硬貨チューブ内に収納されている硬貨が１３±３枚となったことを示しているため、カウンタの値を１０枚にプリセットする（ステップ６１５）。
【００１０】
このようにカウンタ値を変化させた場合、カウンタ値は硬貨チューブ内の収納硬貨枚数と必ずしも一致していないことになる。例えば、電源投入時に硬貨チューブ内に８０枚の硬貨が収納されていた場合ではカウンタ値は１０となり、硬貨チューブ内に５枚の硬貨が収納されていた場合ではカウンタ値は０となる。このため、前者の場合では釣銭の払い出しが可能であるのに不可能であると認識したり（例えば、５００円硬貨で３５０円の商品を購入しようとした場合で、１００円の硬貨チューブ内に１００円硬貨が０枚、５０円の硬貨チューブ内に５０円硬貨が０枚、１０円硬貨チューブ内に１０円硬貨が８０枚あり、１０円硬貨１５枚での釣銭払い出しが可能であっても、１０円の硬貨チューブに対応したカウンタ値が１０であれば、釣銭の払い出しを不可能であると認識する）、後者の場合では実際には払い出しが可能（例えば、５枚の硬貨が収納されている状態）であっても、当該金種は払い出し不可能であると判断されることになる。
【００１１】
しかし、電源投入後の硬貨の増減により、エンプティスイッチや硬貨満杯スイッチの状態が変化した場合には（ステップ６０４、６１２、６１４の各々でＹＥＳの場合）、カウンタ値は硬貨チューブ内に収納されている硬貨の枚数とほぼ一致した値にプリセットされるため、以降はカウンタ値に基づく釣銭の払い出しの可否の判断が正確なものとなる。
【００１２】
したがって、カウンタ値をリセットする頻度は、小さいほうが好ましいことになるが、カウンタ値は電源の遮断および再投入や停電（瞬時停電を含む）、電圧変動等によりリセットされてしまうため、これを防止するためにカウンタ値をバッテリーバックアップされたＲＡＭに記憶保持することも行われている。
【００１３】
【発明が解決しようとする課題】
ところが、バッテリーバックアップされたＲＡＭにカウンタ値を記憶保持した場合、自動販売機や貨幣処理装置等のメンテナンス等の際に電源を遮断し、同時に硬貨チューブ内の硬貨の回収やチューブカセットの交換等を行ってもカウンタ値は記憶保持されるため、カウンタ値が実際に硬貨チューブ内に収納されている硬貨枚数よりも大きくなってしまうことがある。このような場合には、釣銭払い出しの可否判断に狂いが生じてしまい、釣銭が未払いとなる不具合が生じることもある。
【００１４】
そこで、この発明は、硬貨チューブ内に収納されている硬貨の枚数を計数したカウント値をバッテリーバックアップされたＲＡＭに記憶保持するとともに、該記憶保持したカウンタ値を必要以上に初期化せず、かつ、適切なタイミングで初期化することのできる貨幣処理方法および装置を提供することを目的とする。
【００１５】
【課題を解決するための手段】
上述した目的を達成するため、請求項１の発明は、投入された貨幣を収納する収納手段と、該収納手段に収納された貨幣を払い出す払出手段とを具備する貨幣処理装置の貨幣処理方法において、計数手段が、前記収納手段に収納した貨幣の数と該収納手段から前記払出手段により払い出された貨幣の数とに基づいて前記収納手段に収納されている貨幣の数を計数し、状態検出手段が、前記収納手段による貨幣の収納状態を検出し、記憶保持手段が、前記計数手段が計数した貨幣の数と前記状態検出手段が検出した収納状態とを電源の入切に係わらず記憶保持し、電源投入時に、初期化手段が、前記状態検出手段が検出した収納状態が前記記憶保持手段に記憶保持されている収納状態と異なる場合に前記記憶保持手段に記憶されている貨幣の数を初期化することを特徴とする。
【００１６】
また、請求項２の発明は、請求項１の発明において、前記収納手段に収納される貨幣は硬貨であり、前記記憶保持手段は、前記状態検出手段が検出した収納状態が変化するごとに、該収納状態を更新して記憶保持することを特徴とする。
【００１７】
また、請求項３の発明は、請求項２の発明において、前記状態検出手段は、前記収納手段に収納している硬貨の数が所定の数以下となったことを検出するエンプティスイッチであり、前記初期化手段は、前記記憶保持手段に記憶された電源切断前の前記エンプティスイッチの状態と電源投入時の前記エンプティスイッチの状態とが異なっていた場合に前記記憶保持手段に記憶保持している硬貨の数を初期化することを特徴とする。
【００１８】
また、請求項４の発明は、請求項２または３の発明において、前記状態検出手段は、前記収納手段に収納している硬貨が満杯となったことを検出する満杯スイッチであり、前記初期化手段は、前記記憶保持手段に記憶された電源切断前の前記満杯スイッチの状態と電源投入時の前記満杯スイッチの状態とが異なっていた場合に前記記憶保持手段に記憶保持している硬貨の数を初期化することを特徴とする。
【００１９】
また、請求項５の発明は、請求項２乃至４のいずれかの発明において、前記収納手段は貨幣処理装置に脱着可能であるとともに複数種類存在し、前記記憶保持手段は、前記収納手段の種類を記憶保持し、前記初期化手段は、前記記憶保持手段に記憶された電源切断前の前記収納手段の種類と電源投入時の前記収納手段の種類とが異なっていた場合に前記記憶保持手段に記憶保持している硬貨の数を初期化することを特徴とする。
【００２０】
また、請求項６の発明は、請求項２乃至５のいずれかの発明において、データ格納手段に所定のデータを格納し、前記記憶保持手段は、初期化された際に前記データ格納手段に格納されている所定のデータを記憶保持し、前記初期化手段は、電源投入時に、前記記憶保持手段に記憶された所定のデータと前記データ格納手段に格納されているデータとが異なっていた場合に前記記憶保持手段に記憶保持している硬貨の数を初期化することを特徴とする。
【００２１】
また、請求項７の発明は、投入された貨幣を収納する収納手段と、該収納手段に収納された貨幣を払い出す払出手段とを具備する貨幣処理装置において、前記収納手段に収納した貨幣の数と該収納手段から前記払出手段により払い出された貨幣の数とに基づいて前記収納手段に収納されている貨幣の数を計数する計数手段と、前記収納手段による貨幣の収納状態を検出する状態検出手段と、前記計数手段が計数した貨幣の数と前記状態検出手段が検出した収納状態とを電源の入切に係わらず記憶保持する記憶保持手段と、電源投入時に、前記状態検出手段が検出した収納状態が前記記憶保持手段に記憶保持されている収納状態と異なる場合に前記記憶保持手段に記憶されている貨幣の数を初期化する初期化手段とを具備することを特徴とする。
【００２２】
また、請求項８の発明は、請求項７の発明において、前記収納手段に収納される貨幣は硬貨であり、前記記憶保持手段は、前記状態検出手段が検出した収納状態が変化するごとに、該収納状態を更新して記憶保持することを特徴とする。
【００２３】
また、請求項９の発明は、請求項８の発明において、前記状態検出手段は、前記収納手段に収納している硬貨の数が所定の数以下となったことを検出するエンプティスイッチであり、前記初期化手段は、前記記憶保持手段に記憶された電源切断前の前記エンプティスイッチの状態と電源投入時の前記エンプティスイッチの状態とが異なっていた場合に前記記憶保持手段に記憶保持している硬貨の数を初期化することを特徴とする。
【００２４】
また、請求項１０の発明は、請求項８または９の発明において、前記状態検出手段は、前記収納手段に収納している硬貨が満杯となったことを検出する満杯スイッチであり、前記初期化手段は、前記記憶保持手段に記憶された電源切断前の前記満杯スイッチの状態と電源投入時の前記満杯スイッチの状態とが異なっていた場合に前記記憶保持手段に記憶保持している硬貨の数を初期化することを特徴とする。
【００２５】
また、請求項１１の発明は、請求項８乃至１０のいずれかの発明において、前記収納手段は貨幣処理装置に脱着可能であるとともに複数種類存在し、前記記憶保持手段は、前記収納手段の種類を記憶保持し、前記初期化手段は、前記記憶保持手段に記憶された電源切断前の前記収納手段の種類と電源投入時の前記収納手段の種類とが異なっていた場合に前記記憶保持手段に記憶保持している硬貨の数を初期化することを特徴とする。
【００２６】
また、請求項１２の発明は、請求項８乃至１１のいずれかの発明において、所定のデータを格納するデータ格納手段をさらに具備し、前記記憶保持手段は、初期化された際に前記データ格納手段に格納されている所定のデータを記憶保持し、前記初期化手段は、電源投入時に、前記記憶保持手段に記憶された所定のデータと前記データ格納手段に格納されているデータとが異なっていた場合に前記記憶保持手段に記憶保持している硬貨の数を初期化することを特徴とする。
【００２７】
【発明の実施の形態】
以下、この発明に係わる貨幣処理方法および装置の一実施例を添付図面を参照して詳細に説明する。
【００２８】
図１は、貨幣処理装置の構成を示すブロック図である。
貨幣処理装置１は、各部の制御や必要な演算を行うＣＰＵ１１と、ＣＰＵ１１内に設けられた記憶手段であるＲＯＭ１２およびＲＡＭ１３、投入された硬貨の真偽および金種を選別する選別センサ１４、選別センサ１４の出力に基づき投入された硬貨を正貨と偽貨に振り分ける正偽貨振分手段１５、選別センサ１４の出力に基づき正偽貨振分手段１５で正貨として振り分けられた硬貨をさらに金種別に振り分ける金種振分手段１６（１６−１乃至１６−３）、投入された硬貨が図示しない硬貨通路の所定の位置を通過したことを検知するパスセンサ１７、図示しないカセットチューブから硬貨の払い出しを行う払出手段１８、払出手段１８が払い出した硬貨を図示しない払出口に搬送するための払出モータ１９、払出モータ１９が正常に動作したことを検出するキャリアスイッチ（ＳＷ）２０、図示しないカセットチューブの着脱および種類を検出するカセット検出センサ２１、カセットチューブ内の硬貨が所定の枚数以下になったことを検出するエンプティスイッチ（ＳＷ）２２、カセットチューブ内の硬貨が満杯になったことを検出する硬貨満杯スイッチ（ＳＷ）２３を具備して構成される。
【００２９】
ここで、図２を参照して貨幣処理装置１における硬貨の流れを説明する。
図２は、貨幣処理装置１の概観を示した図である。
貨幣処理装置１では、投入口２から投入された硬貨５０は、硬貨通路３−１を通り重力により移動し、途中で選別センサ１４により正偽貨選別および金種選別が行われる。選別センサ１４を通過した硬貨５０は、正偽貨振分手段１５で選別センサ１４の選別結果に基づき正貨と偽貨に振り分けられ、正貨は金種振分手段１６へ送られ、偽貨は図示しない返却口から返却される。
【００３０】
正偽貨振分手段１５で正貨として振り分けられた硬貨５０は、金種振分手段１６へ送られるが、その途中でパスセンサ１７により通過が検出される。金種振分手段１６では、硬貨５０を金種別に振り分け、カセットチューブ４の硬貨チューブ（Ａ）４１−１乃至（Ｄ）４１−４のいずれかの対応する金種の硬貨チューブへ硬貨通路３−２を通して導くが、対応する硬貨チューブの硬貨満杯スイッチ２３（２３−１乃至２３−４のいずれか）が、当該硬貨チューブが満杯であることを示している場合には、硬貨５０を図示しない金庫へ導く。
【００３１】
金種振分手段１６は、実際には図１に示したように金種振分手段（１）１６−１と金種振分手段（２）１６−２、金種振分手段（３）１６−３で構成され、金種振分手段（１）１６−１が硬貨５０をカセットチューブ４と図示しない金庫のいずれかへ振り分け、金種振分手段（２）１６−２が金種振分手段（１）１６−１によりカセットチューブ４側へ振り分けられた硬貨５０を硬貨チューブ（Ａ）４１−１と硬貨チューブ（Ｂ）４１−２側または硬貨チューブ（Ｃ）４１−３と硬貨チューブ（Ｄ）４１−４側のいずれかへ振り分ける。金種振分手段（３）１６−３は、金種振分手段（２）１６−２により硬貨チューブ（Ａ）４１−１と硬貨チューブ（Ｂ）４１−２側に振り分けられた硬貨５０を硬貨チューブ（Ａ）４１−１と硬貨チューブ（Ｂ）４１−２とに振り分け、硬貨チューブ（Ｃ）４１−３と硬貨チューブ（Ｄ）４１−４側に振り分けられた硬貨５０を硬貨チューブ（Ｃ）４１−３と硬貨チューブ（Ｄ）４１−４とに振り分ける。
【００３２】
カセットチューブ４へ導かれて収納された硬貨５０は、釣銭等の払い出しが行われる際に、払出手段１８や払出モータ１９、キャリアスイッチ２０（図１参照）等を具備する払出装置５によって払い出される。
【００３３】
なお、カセットチューブ４を構成する硬貨チューブ（Ａ）４１−１乃至（Ｅ）４１−５には各々エンプティスイッチ２２−１乃至２２−５が配設されている。また、硬貨チューブ（Ｅ）４１−５は、予め収納した硬貨を払い出すのみで投入された硬貨の受け入れは行わないため、硬貨満杯スイッチ２３は配設されていない。
【００３４】
図３は、カセットチューブ４の概観を示した図である。
カセットチューブ４は、同図に示すように５本の硬貨チューブ４１−１乃至４１−５が１組としてカセット状に構成されており、底部には硬貨チューブ４１−１乃至４１−５内に収納されている硬貨を受け止めるとともに、貨幣処理装置１に装着されたときに抜き取られて収納されている硬貨を払出装置５へ送り込むようにしたペイアウトスライド板４２が設けられている。
【００３５】
また、カセットチューブ４は、収納する硬貨の金種や容量によって複数の種類があり（例えば、硬貨チューブ４１−１乃至４１−５が全て異なる金種の硬貨を収納する場合や、５本全てが同一金種の硬貨を収納する場合等）、その種類を表すために突起４３−１乃至４３−３が設けられている。この突起４３−１乃至４３−３は、該突起の有無でカセットチューブ４の種類を表しており、３つの突起で３ビット、つまり、最大で８種類を区別することができ、カセットチューブ４が貨幣処理装置１に装着された際に、貨幣処理装置１のカセット検出センサ２１によりその有無が検出され、貨幣処理装置１が装着されたカセットチューブ４の種類を判定する。
【００３６】
さて、貨幣処理装置１は、従来技術の欄で説明した貨幣処理装置と同様に、エンプティスイッチ２２および硬貨満杯スイッチ２３の状態と投入された硬貨の数（金種振分手段１６の動作状態とパスセンサ１７の出力により取得）、払い出した硬貨の数（払出手段１８の動作状態より取得）に基づいて、ＣＰＵ１１が硬貨チューブ４１−１乃至４１−５の各々に収納されている硬貨の数を計数し、ＲＡＭ１３に記憶している。ＲＡＭ１３は、バッテリーバックアップされており、貨幣処理装置１の電源遮断により記憶内容が消去されることはない。
【００３７】
また、この貨幣処理装置１では、電源投入時にＲＡＭ１３に記憶保持されている硬貨の数と硬貨チューブ４１−１乃至４１−５に実際に収納されている硬貨の数と大きく異なることに起因する不具合を生じさせないために以下の４つの条件のいずれかに該当する場合には、ＲＡＭ１３に記憶保持されている硬貨の数を初期化する。
【００３８】
第１の条件は、電源投入時にエンプティスイッチ２２（２２−１乃至２２−５）の状態（硬貨の有無の検出出力）が、ＲＡＭ１３に記憶されている電源が遮断される直前のエンプティスイッチ２２の状態と異なっていることであり、第２の条件は、電源投入時に硬貨満杯スイッチ２３（２３−１乃至２３−４）の状態（硬貨が満杯であるか否かの検出出力）が、ＲＡＭ１３に記憶されている電源が遮断される直前の硬貨満杯スイッチ２３の状態と異なっていることである。
【００３９】
また、第３の条件は、電源投入時にカセット検出センサ２１が検出したカセットチューブ４の種類が、ＲＡＭ１３に記憶されている電源が遮断される直前のカセットチューブ４の種類と異なっていることであり、第４の条件は、前回ＲＡＭ１３が初期化された際にＲＡＭ１３に記憶されたダミーデータとＲＯＭ１２に記憶されているダミーデータが異なっていることである。
【００４０】
これらの条件のうち、第１の条件と第２の条件は、カセットチューブ４を構成する硬貨チューブ４１−１乃至４１−５の各々について、電源遮断直前と電源投入（再投入）時の状態を比較し、硬貨チューブ４１−１乃至４１−５のいずれか１本の硬貨チューブに対して状態の変化があった場合、当該硬貨チューブに収納されている硬貨が回収または補給されたことは明らかであるが、他の４本の硬貨チューブに収納されている硬貨に対しても回収または補給が行われたものとしてＲＡＭ１３を初期化して、改めてエンプティスイッチ２２の状態等に基づいて収納されている硬貨枚数の計数を行う。
【００４１】
また、第３の条件ではカセットチューブ４の種類自体が変更されているため、収納されている硬貨枚数や金種が変更されているのは明らかであり、ＲＡＭ１３を初期化して、改めてエンプティスイッチ２２の状態等に基づいて収納されている硬貨枚数の計数を行う。
【００４２】
第４の条件は、バッテリーバックアップされているＲＡＭ１３の記憶内容の信頼性を確認する条件であり、ＲＡＭ１３に記憶保持されているダミーデータが、本来同じデータであるはずのＲＯＭ１２に記憶されているダミーデータと異なっていれば、カセットチューブ４に収納されている硬貨枚数を比較する以前にＲＡＭ１３に記憶されている電源の遮断直前の状態そのものに信頼性がないため、ＲＡＭ１３を初期化して、改めてエンプティスイッチ２２の状態等に基づいて収納されている硬貨枚数の計数を行う。
【００４３】
なお、ＲＡＭ１３の初期化を行った場合には、次回の電源投入時のためにＲＯＭ１２に記憶されているダミーデータを改めてＲＡＭ１３に記憶保持させる。
【００４４】
ここで、図４を参照して、電源投入時の貨幣処理装置１の初期動作の流れを説明する。
図４は、電源投入時の貨幣処理装置１の初期動作の流れを示すフローチャートである。
【００４５】
貨幣処理装置１は、電源が投入されると初期動作を開始し（ステップ５０１）、まず、貨幣処理装置１が接続されている自動販売機の制御部等との通信を行うための各ポートの初期化を行い（ステップ５０２）、ＲＡＭ１３のうちバッテリーバックアップがされていない部分の初期化を行う（ステップ５０３）。
【００４６】
次に、ＲＡＭ１３のバッテリーバックアップされている部分に記憶保持されているダミーデータをＲＯＭ１２に記憶されているダミーデータと比較し（ステップ５０４）、この比較の結果、ダミーデータの全てが一致していれば（ステップ５０５でＹＥＳ）、カセットチューブ４の各硬貨チューブ４１−１乃至４１−５のエンプティスイッチ２２−１乃至２２−５の状態とＲＡＭ１３に記憶保持されている電源が遮断される直前のエンプティスイッチ２２−１乃至２２−５の状態と比較する（ステップ５０６）。ここで、現在の各エンプティスイッチ２２−１乃至２２−５の状態が全て電源遮断前の状態と一致していれば（ステップ５０７でＹＥＳ）、カセット検出センサ２１が検出したカセットチューブ４の種類とＲＡＭ１３に記憶保持されている電源が遮断される直前のカセットチューブ４の種類を比較する（ステップ５０８）。比較の結果、カセットチューブ４の種類が一致した場合には（ステップ５０９でＹＥＳ）、硬貨満杯スイッチ２３−１乃至２３−４の各状態をＲＡＭ１３に記憶保持されている電源が遮断される直前の硬貨満杯スイッチ２３−１乃至２３−４の状態と比較する（ステップ５１０）。この比較の結果、各硬貨満杯スイッチ２３−１乃至２３−４の状態が全て一致していれば（ステップ５１１でＹＥＳ）、ダミーデータの比較（ステップ５０４）とエンプティスイッチ２２の状態の比較（ステップ５０６）、カセットチューブ４の種類の比較（ステップ５０８）、硬貨満杯スイッチ２３の状態の比較（ステップ５１０）の全ての結果が、電源が遮断される直前の状態と等しいことを示しているため、電源の遮断中にカセットチューブ４に収納されている硬貨の回収および補給が行われなかったものとして、初期動作を終了して（ステップ５１５）、通常の動作（販売待機動作）へ移行する。
【００４７】
一方、ダミーデータの比較（ステップ５０４）とエンプティスイッチ２２の状態の比較（ステップ５０６）、カセットチューブ４の種類の比較（ステップ５０８）、硬貨満杯スイッチ２３の状態の比較（ステップ５１０）のいずれかで、一致しないという結果が得られた場合には（ステップ５０５、５０７、５０９、５１１のいずれかでＮＯ）、ＲＡＭ１３の記憶内容に信頼性が無いかカセットチューブ４に収納されている硬貨の回収または補給が行われたものとして、ＲＡＭ１３のバッテリーバックアップされていれる領域（全領域でもよい）を初期化し（ステップ５１２）、ＲＯＭ１２に記憶されているダミーデータをＲＡＭ１３に記憶保持させ（ステップ５１３）、現状のエンプティスイッチ２２の状態からカセットチューブ４に収納されている硬貨枚数を算出してＲＡＭ１３に記憶し（ステップ５１４）、初期動作を終了して（ステップ５１５）、通常の動作（販売待機動作）へ移行する。
【００４８】
なお、エンプティスイッチ２２および硬貨満杯スイッチ２３の状態やカセット検出センサ２１が検出するカセットチューブ４の種類は、貨幣処理装置１が通常の動作を行っている際に変化があった場合にＲＡＭ１３の記憶内容を更新することで、電源が遮断された場合には、常にその直前の状態が記憶保持されることになる。また、貨幣処理装置１が通常の動作を行っている際に、電源が投入された状態でカセットチューブ４に収納されている硬貨の回収や補給が行われた場合には、カセット検出センサ２１がカセットチューブ２１の脱着を検出した場合に、ＲＡＭ１３を初期化する。
【００４９】
なお、この実施例では、硬貨の払い出しを行う貨幣処理装置について説明したが、両替機や高額商品を販売する自動販売機等で使用する紙幣の払い出しを行う貨幣処理装置においても、この発明を適用することで電源遮断中の紙幣の回収や補給に起因する払い出し不能の状態を回避することができる。
【００５０】
【発明の効果】
以上説明したように、この発明によれば、硬貨チューブ内に収納されている硬貨枚数をバッテリーバックアップされたＲＡＭに記憶保持するとともに、エンプティスイッチと硬貨満杯スイッチの状態およびカセット検出センサが検出するカセットチューブの種類をバッテリーバックアップされたＲＡＭに記憶し、電源が遮断され再投入される際に、ＲＡＭに記憶されたエンプティスイッチと硬貨満杯スイッチの状態およびカセット検出センサが検出するカセットチューブの種類を現状の状態と比較し、一致しないものがあればＲＡＭに記憶された硬貨枚数を初期化するように構成したので、
停電等による電源の遮断の際にも硬貨枚数の記憶を消失することなく、カセットチューブに収納されている硬貨の払い出しの可否を適格に判断することができ、電源遮断中の硬貨の回収や補給による実際の硬貨枚数とＲＡＭに記憶されている硬貨枚数の相違で生じる硬貨の払い出しが不可能といった不具合を解消することができる。
【図面の簡単な説明】
【図１】貨幣処理装置の構成を示すブロック図。
【図２】貨幣処理装置１の概観を示した図。
【図３】カセットチューブ４の概観を示した図。
【図４】電源投入時の貨幣処理装置１の初期動作の流れを示すフローチャート。
【図５】カウンタによる硬貨の収納枚数の計数の流れを示すフローチャート。
【符号の説明】
１    貨幣処理装置
２    投入口
３−１、３−２    硬貨通路
４    カセットチューブ
５    払出装置
１１    ＣＰＵ
１２    ＲＯＭ
１３    ＲＡＭ
１４    選別センサ
１５    正偽貨振分手段
１６、１６−１、１６−２、１６−３    金種振分手段
１７    パスセンサ
１８    払出手段
１９    払出モータ
２０    キャリアスイッチ
２１    カセット検出センサ
２２、２２−１〜２２−５    エンプティスイッチ
２３、２３−１〜２３−４    硬貨満杯スイッチ
４１、４１−１〜４１−５    硬貨チューブ
４２    ペイアウトスライド板
４３−１、４３−２、４３−３    突起
５０    硬貨
【図１】
0003766200.tif 000002
【図２】
0003766200.tif 000003
【図３】
0003766200.tif 000004
【図４】
0003766200.tif 000005
【図５】
0003766200.tif 000006